(57)【要約】      （修正有）【課題】人手により組み立てた場合であっても、容易かつ迅速に、所定の製作精度で高剛性に作製することができ、全体として製作コストを低減すると共に、原紙油分水分調整機能を備える食品収納容器を提供する。【解決手段】底面部１１と、一側壁部１３と、他側壁部１５と、を備え一側壁部と隣接する他側壁部とを互いに接合して形成した。一側壁部の両端部には係合片部１９を有し、他側壁部には、スリット２０と他側壁部折曲部２９とを有し、一側壁部と他側壁部を底面部から折曲して立ち上げ、係合辺部をスリットに挿入した状態で、係合片部を第二の幅方向折り目１８で延設部１７に沿う状態に折曲すると共に、他側壁部の他側壁部折曲部を他側壁部折り目３０で底面部側に折曲して組み立てられたものであり、原紙は内層に吸水・吸油性を有する無サイズ層、中間層に耐水剤を内填した古紙パルプ層からなる耐水層、外層に撥油剤を内填した撥油層からなる。【選択図】図１
0003221347.tif 000002
【実用新案登録請求の範囲】
【請求項１】
方形の底面部と、前記底面部の一両側にそれぞれ第一の底面部折り目を介して延設され、所定の延設寸法を備える２枚の一側壁部と、前記方形底面部の前記一側壁部に隣接して配置され、互いに直交して配設されると共に第二の底面部折り目を介して延設され、前記一側壁部の突出寸法より大きな延設寸法を備える２枚の他側壁部と、を１枚の原紙から切り出して構成し、前記一側壁部と隣接する前記他側壁部とを互いに接合して形成した食品収容容器であって、
前記一側壁部の両端部には、第一の幅方向折り目を介して延設された平面略台形状の延設部と、前記延設部の先端部に第二の幅方向折り目を介して延設された係合片部とを有し、
前記他側壁部には、前記係合片部が挿入されるスリットと、前記一側壁部の延設寸法と同一の延設位置に形成された他側壁部折り目を介して延設された他側壁部折曲部とを有し、
前記係合片部は、一側壁部の幅方向外方へ突出する、緩やかに膨出する円弧状に形成された鋭角状突出部を有し、
前記他側壁部の対向縁部は、前記第一の底面部折り目の延長線よりも方形底面部内方へ傾斜する斜片部により形成され、
前記食品収納容器は、前記一側壁部と前記他側壁部を前記底面部から折曲して立ち上げ、前記係合辺部を前記スリットに挿入した状態で、前記係合片部を前記第二の幅方向折り目で前記延設部に沿う状態に折曲すると共に、前記他側壁部の他側壁部折曲部を前記他側折り目で前記底面部側に折曲して組み立てられたものであり、
前記原紙は、少なくとも無サイズ層、耐水層、撥油層とからなる多層漉き合わせ紙であって、内層に吸水・吸油性を有する無サイズ層、中間層に耐水剤を内填した古紙パルプ層からなる耐水層、外層に撥油剤を内填した撥油層を、それぞれ配置して構成したことを特徴とする食品収納容器。
【請求項２】
前記平面台形状の延設部の他側壁部との対向縁部を形成する一方の斜片部と前記第一の幅方向折り目との間の角度は、他方の斜片部と第一の幅方向折り目との間の角度よりも小さいと共に、前記平面台形状の延設部の前記他側壁部との対向縁部を形成する一方の斜片部の基端部は、前記他側壁部の対向縁部の基端部と離間して配設されていることを特徴とする請求項１記載の食品収納容器。
【請求項３】
前記平面台形状の延設部の他側壁部との対向縁部を形成する斜片部と前記第一の幅方向折り目との間の角度は７０度に形成され、前記延設部と他側壁部との間には、前記延設部の底辺部の長さ寸法の約半分の長さ寸法の空隙部が形成されていることを特徴とする請求項２記載の食品収納容器。
【請求項４】
前記他側壁部の対向縁部と前記方形底面部の第二の底面部折り目との間の角度は、８５度に形成されていることを特徴とする請求項２記載の食品収納容器。
【請求項５】
前記無サイズ層と耐水層の間に撥油層を設け、無サイズ層、撥油層、耐水層、撥油層が順次配置されていることを特徴とする請求項１に記載の食品収納容器。
【請求項６】
前記耐水剤としてロジン系樹脂を、前記撥油剤としてパーフルオロアルキルリン酸塩を、それぞれ用いたことを特徴とする請求項６に記載の食品収納容器。
【請求項７】
前記食品収納容器は、トレーとして形成されていると共に、前記食品は電子レンジで解凍して食する食品であることを特徴とする請求項１に記載の食品収納容器。
【考案の詳細な説明】
【技術分野】
【０００１】
本考案は、食品収納容器の改良に関する。
【背景技術】
【０００２】
一般に、冷凍食品が収納される容器は、所定の剛性を有する紙製であって、食品本体の収納部と、前記収納部の空隙部を開閉可能に被覆する蓋部とを有し、所定の包装用紙に包装されて販売されている。
【０００３】
このような冷凍食品の収納容器は、製造機械により原紙から裁断され、裁断された収納容器形成用紙を自動組み立て機により組み立てて作製されていたが、昨今の経済事情から製造コストの削減の要請がある。従って、製造機械により裁断された収納容器形成用紙を、労働賃金の低価な外国へ輸出し、人手による収納容器形成用紙の組み立て作業を行うことを検討することも必要となる。
【０００４】
しかしながら、このような場合において、従来の収納容器形成用紙は、機械による組み立て作業に合わせて形成されていたことから、収納容器形成用紙を構成する各片部の間隔寸法、配置が非常にタイトに形成されており、従来の機械で製造された収納容器形成用紙をそのまま用いて人手により組み立てることは困難である、という事情があった。
【０００５】
また、従来の食品収納容器にあっては、容器組み立て後に、自動装置で食品収納容器に食品を補給し包装するに際し、食品収納容器が変形して食品が食品収納容器から零れてしまうという問題があった。
【０００６】
さらに、このような食品収納容器を一般紙で形成すると、食品に含まれる油分や水分（水蒸気）が紙の各層を透過して紙の内側から外側に滲み出てしまい、容器が汚れる他、その容器に触れた例えば手や衣服も汚れてしまうことがある。このため、耐油性、耐水性を有するポリエチレン等のプラスチック樹脂層を、用紙の表面に積層する、あるいは用紙の中間層に挟む、耐油性、耐水性を有するスコッチバン（商品名、住友スリーエム株式会社製）等の薬剤を各層に漉き込む、一部の層にのみ耐水性を有するサイズパイン（商品名、荒川化学工業株式会社製）等の薬剤を漉き込む、等の処理を施した用紙を用いて調理済食品から発生する油分や水分（水蒸気）の用紙外側への汚染を防いでいた。
【０００７】
しかしながら、これらの耐油性、耐水性付与策は、新たに樹脂層を設けるので、樹脂層がバリア層となって通気性が悪くなり、用紙のリサイクルも困難でコスト高となる。耐水剤、耐油剤の組み合わせやそれらの機能層の選択方法が悪かったため、押罫線部分の耐油性が悪くなり、用紙端面からの油分のしみ込みによる油染が発生する等の問題点があった。
【考案の開示】
【考案が解決しようとする課題】
【０００８】
本考案はこのような要請に応えるものであって、その課題は、原紙から裁断されて形成された食品収納容器を、人手により組み立てた場合であっても、容易かつ迅速に、所定の製作精度で作製することができ、全体として製作コストを低減すると共に、原紙の製造時に新たな樹脂層を積層する等作業工程を増やすことなく、耐油性、耐水性を有し、通気性に優れ、かつ、低コストな油分水分調整機能を備えるものとすることである。
【課題を解決するための手段】
【０００９】
前記課題を解決するため、請求項１記載の考案にあっては、方形の底面部と、前記底面部の一両側にそれぞれ第一の底面部折り目を介して延設され、所定の延設寸法を備える２枚の一側壁部と、前記方形底面部の前記一側壁部に隣接して配置され、互いに直交して配設されると共に第二の底面部折り目を介して延設され、前記一側壁部の突出寸法より大きな延設寸法を備える２枚の他側壁部と、を１枚の原紙から切り出して構成し、前記一側壁部と隣接する前記他側壁部とを互いに接合して形成した食品収容容器であって、前記一側壁部の両端部には、第一の幅方向折り目を介して延設された平面略台形状の延設部と、前記延設部の先端部に第二の幅方向折り目を介して延設された係合片部とを有し、前記他側壁部には、前記係合片部が挿入されるスリットと、前記一側壁部の延設寸法と同一の延設位置に形成された他側壁部折り目を介して延設された他側壁部折曲部とを有し、前記係合片部は、一側壁部の幅方向外方へ突出する、緩やかに膨出する円弧状に形成された鋭角状突出部を有し、前記他側壁部の対向縁部は、前記第一の底面部折り目の延長線よりも方形底面部内方へ傾斜する斜片部により形成され、前記食品収納容器は、前記一側壁部と前記他側壁部を前記底面部から折曲して立ち上げ、前記係合辺部を前記スリットに挿入した状態で、前記係合片部を前記第二の幅方向折り目で前記延設部に沿う状態に折曲すると共に、前記他側壁部の他側壁部折曲部を前記他側折り目で前記底面部側に折曲して組み立てられたものであり、前記原紙は、少なくとも無サイズ層、耐水層、撥油層とからなる多層漉き合わせ紙であって、内層に吸水・吸油性を有する無サイズ層、中間層に耐水剤を内填した古紙パルプ層からなる耐水層、外層に撥油剤を内填した撥油層を、それぞれ配置して構成したことを特徴とする。
【００１０】
従って、請求項１記載の考案にあっては、一側壁部と隣接する他側壁部とを係合固定するために人手を介して折り曲げた際に、他側壁部の対向縁部は一側壁部との間に所定間隔寸法の間隙を有することから、前記延設部を他側壁部上に重複して重ね合わせやすい。
【００１１】
また、前記係合片部は緩やかに膨出する円弧状に形成された鋭角状突出部を有することから、係合片部を前記スリットに係合させる際に、スリットに引っかかることなく円滑に挿入させることができる。
【００１２】
また、食品収納容器の組み立て時、係合辺部をスリットに挿入した状態で、係合片部を第二の折り目で延設部に沿う状態に折曲すると共に、他側壁部の他側壁部折曲部を他側折り目で底面部側に折曲するから、食品収納容器の剛性を高くでき、自動装置で食品収納容器に食品を補給し包装するに際し、食品収納容器が変形することが防止でき、食品が食品収納容器から零れてしまうことがない。
【００１３】
さらに、原紙は、内層が水分（水滴）や油分、水蒸気を吸収透過する無サイズ層、中間層が油分や水蒸気は吸収透過するが水分（水滴）は吸収しにくい耐水層、外層が水蒸気は吸収透過するが油分をはじく撥油層から構成されている。このため、食品を食品収納容器に接触した状態で収納したとき、食品に付着している水滴は中間層の内層寄りで保持され、また、食品に付着している油分は撥油層の中間層寄りで保持されるので、用紙の外表面に水滴や油分が広がることがなく、外観上きれいな状態で収納できる。
【００１４】
さらに食品から発生する湯気等の水蒸気は、用紙を透過して外部に抜けて行き、用紙に水滴として残らないので食品に対して悪影響を及ぼさない。なお、耐水層に脱色した古紙パルプを使用すると、耐水層が油分を吸収して古紙パルプが透けても外観は見栄えが悪くならない。
【００１５】
請求項２記載の考案にあっては、前記平面台形状の延設部の他の側壁部との対向縁部を形成する一方の斜片部と前記第一の幅方向折り目との間の角度は、他方の斜片部と第一の幅方向折り目との間の角度よりも小さいと共に、前記平面台形状の延設部の前記他側壁部との対向縁部を形成する一方の斜片部の基端部は、前記他側壁部の対向縁部の基端部と離間して配設されていることを特徴とする。
【００１６】
従って、請求項２記載の考案にあっては、一側壁部に延設された延設部と他側壁部との間には所定の幅寸法の間隙が形成されることから、一側壁部と他側壁部とを固定するために人手を介して折り曲げた際に、折り曲げやすい。
【００１７】
請求項３記載の考案にあっては、前記平面台形状の延設部の他側壁部との対向縁部を形成する斜片部と前記第一の幅方向折り目との間の角度は７０度に形成され、前記延設部と他側壁部との間には、前記延設部の底辺部の長さ寸法の約半分の長さ寸法の空隙部が形成されていることを特徴とする。
【００１８】
従って、請求項３記載の考案にあっては、一側壁部に延設された延設部と他側壁部との間には所定の幅寸法の間隙が形成されることから、一側壁部と他側壁部とを固定するために人手を介して折り曲げた際に折り曲げやすい。
【００１９】
請求項４記載の考案にあっては、前記他側壁部の対向縁部と前記方形底面部の第二の底面部折り目との間の角度は、８５度に形成されていることを特徴とする。
【００２０】
請求項５記載の考案にあっては、前記無サイズ層と耐水層の間に撥油層を設け、無サイズ層、撥油層、耐水層、撥油層が順次配置されていることを特徴とする。
【００２１】
請求項６に記載の考案にあっては、前記耐水剤としてロジン系樹脂を、前記撥油剤としてパーフルオロアルキルリン酸塩を、それぞれ用いたことを特徴とする。
【００２２】
請求項７に記載の食品収納容器にあては、前記収納容器は、トレーとして形成されていると共に、前記食品は電子レンジで解凍して食する食品であることを特徴とする。
【考案の効果】
【００２３】
請求項１記載の考案にあっては、一側壁部と隣接する他側壁部とを係合固定するために折り曲げた際に、他側壁部の対向縁部は一側壁部との間に所定間隔寸法の間隙を有することから、前記延設部を他側壁部上に重複して重ね合わせやすいと共に、前記係合片部は緩やかに膨出する円弧状に形成された鋭角状突出部を有することから、係合片部を前記スリットに係合させる際に、スリットに引っかかることなく挿入できるように構成されていることから、原紙から裁断されて形成された収納容器形成用紙を、人手により組み立てた場合であっても、容易かつ迅速に、所定の製作精度の食品収納容器を作製することができ、その結果、全体として製作コストを低減することができる。
【００２４】
また、食品収納容器の組み立て時、係合辺部をスリットに挿入した状態で、係合片部を第二の折り目で延設部に沿う状態に折曲すると共に、他側壁部の他側壁部折曲部を他側折り目で底面部側に折曲するから、食品収納容器の剛性を高くでき、自動装置で食品収納容器に食品を補給し包装するに際し、食品収納容器が変形することが防止でき、食品が食品収納容器から零れてしまうことがない。
【００２５】
さらに、原紙は、内層が水分（水滴）や油分、水蒸気を吸収透過する無サイズ層、中間層が油分や水蒸気は吸収透過するが水分（水滴）は吸収しにくい耐水層、外層が水蒸気は吸収透過するが油分をはじく撥油層から構成されている。このため、食品を食品収納容器に接触した状態で収納したとき、食品に付着している水滴は中間層の内層寄りで保持され、また、食品に付着している油分は撥油層の中間層寄りで保持されるので、用紙の外表面に水滴や油分が広がることがなく、外観上きれいな状態で収納できる。
【００２６】
さらに食品から発生する湯気等の水蒸気は、用紙を透過して外部に抜けて行き、用紙に水滴として残らないので食品に対して悪影響を及ぼさない。なお、耐水層に脱色した古紙パルプを使用すると、耐水層が油分を吸収して古紙パルプが透けても外観は見栄えが悪くならない。
【００２７】
請求項２、請求項３及び請求項４に記載の考案にあっては、一側壁部に延設された延設部と他側壁部との間には所定の幅寸法の間隙が形成されることから、一側壁部と他側壁部とを固定するために折り曲げた際に折り曲げやすい。
また、係合片部をスリットに係合させて組み立てた場合、延設部は方形底面部の厚さ寸法を吸収した状態で他側壁面部の外方に配置されることから、無理なく係合片部により固定することができる。
【００２８】
その結果、請求項１に記載の効果に加えて、人手により組み立てた場合であっても、一側壁部と他側壁部とをより折り曲げやすく、容易かつ迅速に、所定の製作精度を以て食品収納容器を作製することができる。
【００２９】
請求項５及び請求項６に記載の考案にあっては、内容物として加温状態の調理食品を収納しても油の滲みは、用紙内面のみで、外側面への油の滲みは発生しない。同時に容器の内側への水滴の付着が認められず、内容物が濡れて食感を低下させることがない。特に、撥油層を外層と内層の２か所に設けた場合、内容物接触面の用紙内面が油を吸収した後も、油による用紙の変色がほとんど無く、非常にきれいであり見た目にも衛生的である。
【００３０】
請求項５記載の考案にあっては、前記収納容器は、トレーとして形成され、電子レンジで解凍して食する食品を収納できる食品収納容器の側壁部固定構造を提供することができる。
【図面の簡単な説明】
【００３１】
【図１】本考案の一実施の形態に係る食品収納容器の展開図である。
【図２】同食品収納容器の組み立て過程を示すものであり、（ａ）は他側壁部の外方に一側壁部を折り立て、延設部を配置し、係合片部をスリット内へ挿入する状態を示す部分斜視図、（ｂ）は係合片部と他側壁部折曲部を折り曲げた状態を示す部分斜視図である。
【図３】同食品収納容器の他側壁部を内方から見た状態を示すものであり、（ａ）は側壁部の外方に一側壁部を折り立て、延設部を配置し、係合片部をスリット内へ挿入した状態を示す図、（ｂ）は係合片部と他側壁部折曲部を折り曲げた状態を示す図である。
【図４】同食品収納容器の原紙の一例を示す断面説明図である。
【図５】同食品収納容器の原紙の他の例を示す断面説明図である。
【考案を実施するための最良の形態】
【００３２】
以下、添付図面に示す実施の形態に基づき、本考案を、前記食品収納容器がトレーとして形成されていると共に、収納される食品は電子レンジで解凍して食する食品である場合を例に詳細に説明する。
【００３３】
図１に示すように、本実施の形態に係る食品収納容器１０にあっては、長方形底面部１１の長さ方向一側に第一の底面部折り目１２を介して延設された一側壁部１３と、前記長方形底面部１１の前記一側壁部１３に隣接し、互いに直交して配設されると共に幅方向に沿う第二の底面部折り目１４を介して延設された他側壁部１５とを備えている。これらの各部は後述する原紙１００または原紙１０１から切り出されて構成される。
【００３４】
前記一側壁部１３の長さ方向両端部には、第一の幅方向折り目１６を介して延設された平面略台形状の延設部１７と、前記延設部１７の先端部に第二の幅方向折り目１８を介して延設された係合片部１９とを有している。食品収納容器１０の組み立て時において、延設部１７は第二の幅方向折り目１８で一側壁部１３に対して折曲され、係合片部１９は第二の幅方向折り目１８で延設部１７に対して折り曲げられる。
【００３５】
また、他側壁部１５には、他側壁部折り目部３０を介して折曲される他側壁部折曲部２９が延設されている。他側壁部折り目部３０の形成位置は、他側壁部１５の延設寸法と同一である。
【００３６】
さらに、前記延設部１７にあっては、他側壁部１５との対向縁部を形成する一方の斜片部２３と前記第一の幅方向折り目１６との間の角度αは、他方の斜片部２４と第一の幅方向折り目１６との間の角度βよりも小さく形成されている。
【００３７】
前記延設部１７の他側壁部１５との対向縁部を形成する斜片部２３と前記第一の幅方向折り目１６との間の角度αは７０度に形成され、前記延設部１７と他側壁部１５との間には、前記延設部１７の底辺部を形成する第一の幅方向折り目１６の長さ寸法の約半分の長さ寸法の空隙部２２が形成されている。
【００３８】
また、前記延設部１７の前記他側壁部１５との対向縁部を形成する一方の斜片部２３の基端部２５は、前記他側壁部１５の対向縁部２６の基端部２７と離間して配設されている。
【００３９】
即ち、本実施の形態にあっては、前記斜片部２３の基端部２５は、第一の底面部折り目１２よりも長方形底面部１１の幅方向外方に配置されている。
【００４０】
前記係合片部１９は、一側壁部１３の幅方向外方へ突出すると共に、緩やかに膨出する円弧状に形成された鋭角状突出部２１を有している。
【００４１】
前記係合片部１９は、前記台形状に形成された延設部１７の前記一方の斜片部２３と連続する斜片部２８を有し、全体略台形状に形成されている。
【００４２】
前記他側壁部１５の長さ方向端部には、前記係合片部１９が係合するスリット２０が設けられている。前記スリット２０は、他側壁部１５の幅方向に沿って折曲して鉤状に形成され、組み立て時には、図２（ａ）、図3（ａ）に示すように、一側壁部１３と他側壁部１５とが、一側壁部１３が他側壁部１５の外方で重ね合わせされた場合には、一側壁部１３の係合片部１９が外方から前記スリット２０内に挿入されて係止されるように構成されている。
【００４３】
また、前記他側壁部１５の対向縁部２６は、前記第一の底面部折り目１２の延長線Ａよりも長方形底面部１１内方へ傾斜する斜片部により形成されている。本実施の形態にあっては、前記他側壁部１５の対向縁部２６と前記長方形底面部１１の第二の底面部折り目１４との間の角度θは８５度に形成されている。
【００４４】
そして、食品収納容器１０の組み立て時には、図２（ｂ）の矢印ａに示すように、係合片部１９がスリット２０に挿入され、図３（ａ）に示すように、係合片部１９が他側壁部１５の内側に配置された状態において、係合片部１９は、図２（ｂ）の矢印ｂに示すように第二の幅方向折り目１８を折り目として、他側壁部１５の内側面に沿うように一側壁部１３側に折り曲げられる。
【００４５】
即ち、図２（ｂ）に示すように、スリット２０に挿入された係合片部１９（図２（ｂ）中破線で示した）は、第二の幅方向折り目１８から外側（図中左側）に向けて折り曲げられる。これにより、係合片部１９はスリット２０に引っかかることとなり、係合片部１９がスリット２０から外れることがない。このため、食品収納容器１０の剛性が増し、変形しにくくなる。
【００４６】
また、食品収納容器１０の組み立て時、係合片部１９を折り曲げたのち、図２（ａ）、図２（ｂ）の矢印ｃに示すように、他側壁部折曲部２９は、他側壁部折り目３０から折り曲げられる。
【００４７】
即ち、図２（ｂ）に示すように、他側壁部折曲部２９（図２（ｂ）中破線で示した）は、他側壁部折り目３０から内側に向けて折り曲げられる。これにより、他側壁部折曲部２９は他側壁部１５の内側に沿って折り曲げられ、他側壁部１５の剛性が増し、食品収納容器１０は変形しにくくなる。
【００４８】
以下、本考案の作用について説明する。
本考案に係る食品収納容器の側壁部固定構造を使用して、トレーとして形成された食品収納容器１０を組み立てる場合には、一側壁部１３及び他側壁部１５を、夫々、第一の底面部折り目１２及び第二の底面部折り目１４を介して上方へ折り立てる。同時に、延設部１７を第一の幅方向折り目１６を介して内方へ折り、前記他側壁部１５の外方面部に当接させる。
【００４９】
この場合、前記のように、前記延設部１７と他側壁部１５との間には、前記延設部１７の底辺部を形成する第一の幅方向折り目１６の長さ寸法の約半分の長さ寸法の空隙部２２が形成されていることから、図１及び図２に示すように、一側壁部１３を折り立てた場合であっても、既に折り立てている他側壁部１５に干渉することなく配置することができる。
【００５０】
また、前記のように、前記延設部１７の前記他側壁部１５との対向縁部を形成する一方の斜片部２３の基端部２５は、前記他側壁部１５の対向縁部２６の基端部２７と離間して配設されていることから、他側壁部１５は折り立っている状態で、一側壁部１３を折り立てた場合でも、他側壁部１５の厚さ寸法を吸収することができ、延設部１７を容易に他側壁部１５の背面側に配置させることができる。
【００５１】
その後、係合片部１９をスリット２０内へ挿入する。この場合、図２（ａ）に示すように、第二の幅方向折り目１８において折り曲げることができるため、人手を介した作業においても、容易に係合片部１９をスリット２０内に挿入することができる。また、図３に示すように、前記のように、先端部には緩やかに膨出する円弧状に形成された鋭角状突出部２１を有することから、係合片部１９はスリット２０内へ挿入されやすい。
【００５２】
また、前記延設部１７の前記他側壁部１５との対向縁部を形成する一方の斜片部２３の基端部２５は、前記他側壁部１５の対向縁部２６の基端部２７と離間して配設されていることから、図３に示すように、前記係合片部１９がスリット２０に係合した状態では、延設部１７は、長方形底面部１１の厚さ寸法に干渉することなく、長方形底面部１１を回避した形で無理なく他側壁部１５の外側面部に配置されると共に、係合片部１９も無理なくスリット２０に係合した状態となっている。
【００５３】
そして、この状態で係合片部１９を、図２（ｂ）の矢印ｂに示すように第二の幅方向折り目１８を折り目として、他側壁部１５の内側面に沿うように一側壁部１３側に折り曲げる。
【００５４】
これにより、係合片部１９はスリット２０の端縁部に保持されることになり、係合片部１９がスリット２０から外れることがない。このため、食品収納容器１０の剛性が増し、変形しにくくなる。
【００５５】
さらに、図２（ａ）、図２（ｂ）の矢印ｃに示すように、他側壁部折曲部２９を他側壁部折り目３０から折り曲げる。これにより、他側壁部折曲部２９は他側壁部１５の内側に沿って折り曲げられることで、他側壁部１５の縁部の剛性が増し、食品収納容器１０が変形しにくくなる。
【００５６】
この係合片部１９のスリット２０ヘの挿入、係合片部１９の折り曲げ、他側壁部折曲部２９の折り曲げ作業は、作業者が両手指で行なう一連の動作により短時間で行える。このため、食品収納容器１０の組み立てを迅速に行なうことができる。
【００５７】
そして、組み立てられた食品収納容器１０の長方形底面部１１上に適宜の冷凍食品を収納し、包装用紙により包装した状態で商品とすることができる。
【００５８】
この食品収納容器１０への冷凍食品の収納は、自動装置で行うことができる。このとき、食品収納容器１０は剛性が確保された状態であるので、冷凍食品の収納時に食品収納容器１０が変形することが防止され、食品収納容器１０の変形に起因して冷凍食品が食品収納容器１０から零れることが防止される。このため、食品の収納効率を向上させることができる。
【００５９】
従って、本実施の形態に係る食品収納容器１０にあっては、人手を介して組み立てた場合であっても、容易、かつ迅速に、所定の組立精度と剛性とを有する冷凍食品の食品収納容器を作製することができる。
【００６０】
なお、前記実施の形態にあっては、延設部１７の、他側壁部１５を構成する一方の斜片部２３と第一の幅方向折り目１６との間の角度αが７０度であると共に、他側壁部１５の対向縁部２６と第二の底面部折り目１４との間の角度θが８５度である場合を例に説明したが、前記実施の形態に限定されない。
【００６１】
次に食品収納容器１０を構成する原紙について説明する。本考案に係る食品収納容器を構成する原紙は油分水分調整機能を備える。原紙１００は、内層１１０、中間層１２０、外層１３０を順次漉き合わせた、多層構成の漉き合わせ紙である。
【００６２】
内層１１０は、油分、水分、水蒸気を吸収透過する耐水性を有する無サイズ層であって、バージンパルプ１００％からなる層で、単層に限定されるものではなく、２層、３層等の複層構成であっても構わない。内層の吸水度は４０〜１００ｇ／ｍ２・ｍｉｎ．、吸油度は３０ｇ／ｍ２・ｍｉｎ．以上、または４０ｇ／ｍ２・１５ｍｉｎ．以上であることが好ましい。
【００６３】
なお、吸水度及び吸油度の測定はコッブ法（ＪＩＳ  Ｐ８１４０）によった。吸水度が４０ｇ／ｍ２  ・ｍｉｎ．以下になると内容物から出た水分や水蒸気が容器内に溜まり、内容物がふやけたり、べたついたりする。また、１００ｇ／ｍ２・ｍｉｎ．以上になると吸収される水分や水蒸気が用紙内に多く保持（保水）された状態となり、用紙内部がふやけたり、用紙の腰が弱くなったりする。また、吸油度が３０ｇ／ｍ２・ｍｉｎ．以下、または４０ｇ／ｍ２・１５ｍｉｎ．以下になると、内容物から出た油分が容器内に溜まり、内容物がべたつく。
【００６４】
中間層１２０は、油分、水蒸気は吸収透過し、水滴は吸収しにくい耐水性を付与された古紙パルプを主体とする層であって、２層、３層等の複層で構成される。耐水性を付与するため、古紙パルプには、耐水剤として、ロジン系樹脂、アクリル系樹脂等を添加する。古紙パルプに脱色した古紙パルプを使用すると、耐水層が油分を吸収して古紙パルプが透けても外観は見栄えが悪くならない。中間層の耐水度はステキヒト・サイズ度で約２０００秒以上（ＪＩＳ  Ｐ８１２２による）であることが好ましい。
【００６５】
外層１３０は、水蒸気は透過し、油分を遮断する撥油性を付与された層であって、バージンパルプを主体とする層で、単層に限定されるものではなく、２層、３層等の複層構成であっても構わない。撥油性を付与するため、バージンパルプには、撥油剤としてパーフルオロアルキルリン酸塩、アクリル系樹脂等を添加する。外層の耐油度はＫＩＴ  ９以上（Ｊ．ＴＡＰＰＩ  Ｎｏ．４１による）であることが好ましい。
【００６６】
この油分水分調整機能紙は、一般に使用されているパルパーや抄紙機を用いて抄紙することが可能である。
【００６７】
以下に食品収納容器を構成する原紙の実施例をさらに具体的に説明する。
＜実施例１＞
バージンパルプ１００％からなる内層１１０（無サイズ層）を２層、ロジン系樹脂として、サイズパインＮ−７７１（荒川化学工業株式会社製）を内填した脱色古紙パルプを主体とする中間層１２０(耐水層)を４層、パーフルオロアルキルリン酸塩として、アサヒガードＡＧ−５３０（旭硝子株式会社製）を内填したバージンパルプを主体とする外層１３０（撥油層）を２層、をこの順序で１層当たり坪量約５０ｇ／ｍ２で漉き合わせ、合計８層からなる坪量４００ｇ／ｍ２の漉き合わせ紙を一般に使用されている抄紙機を用いて抄紙し、原紙１００とした（図４参照）。
【００６８】
なお、この原紙１００の内層１１０の吸水度は４０〜１００ｇ／ｍ２・ｍｉｎ．（コッブ法、ＪＩＳ  Ｐ８１４０による）、吸油度は３０ｇ／ｍ２・ｍｉｎ．以上、または４０ｇ／ｍ２・１５ｍｉｎ．以上（コッブ法、ＪＩＳ  Ｐ８１４０による）であり、耐水層のステキヒト・サイズ度は約２０００秒以上（ＪＩＳ  Ｐ８１２２による）であり、また、撥油層の耐油度はＫＩＴ  ９以上（Ｊ．ＴＡＰＰＩ  Ｎｏ．４１による）であった。
【００６９】
こうして作製した原紙１００で無サイズ層が内表面を形成するようにして、上述した食品収納容器を製造し、油の滲み状態、水滴の付着状態を観察した。その結果を表１に示す。
【００７０】
＜実施例２＞
バージンパルプ１００％からなる無サイズ層として内層１１０を１層、パーフルオロアルキルリン酸塩として、アサヒガードＡＧ−５３０（旭硝子株式会社製）を内填したバージンパルプを主体とする外層１３０（撥油層）を１層、ロジン系樹脂として、サイズパインＮ−７７１（荒川化学工業株式会社製）を内填した脱色古紙パルプを主体とする中間層１２０（耐水層）を３層、パーフルオロアルキルリン酸塩として、アサヒガードＡＧ−５３０（旭硝子株式会社製）を内填したバージンパルプを主体とする外層１３０（撥油層）を１層、をこの順序で１層当たり坪量約６７ｇ／ｍ２で漉き合わせ、合計６層からなる坪量４００ｇ／ｍ２の漉き合わせ紙を一般に使用されている抄紙機を用いて抄紙し、原紙１０１とした（図５参照）。
【００７１】
なお、この原紙１０１の無サイズ層の吸水度、吸油度は実施例１と同じでそれぞれ４０〜１００ｇ／ｍ２・ｍｉｎ．、３０ｇ／ｍ２・ｍｉｎ．以上、または４０ｇ／ｍ２・１５ｍｉｎ．以上であり、耐水層のステキヒト・サイズ度や撥油層の耐油度は実施例１と同じでそれぞれ約２０００秒以上、ＫＩＴ  ９以上である。
【００７２】
こうして作製した油分水分調整機能紙で無サイズ層が内表面を形成するようにして、上述した食品収納容器を製造し、油の滲み状態、水滴の付着状態を観察した。その結果を表１に示す。
【００７３】
【表１】
0003221347.tif 000003
【００７４】
実施例に係る原紙を用いた食品収納容器は、内容物として加温状態の調理食品を収納しても油の滲みは、用紙内面のみで、外側面への油の滲みは認められなかった。同時に容器の内側への水滴の付着が認められず、内容物が濡れて食感を低下させることがなかった。特に、撥油層を外層と内層の２か所に設けた場合、内容物接触面の用紙内面が油を吸収した後も、油による用紙の変色がほとんどなく、非常にきれいであり見た目にも衛生的であった。
【符号の説明】
【００７５】
１０  食品収納容器
１１  長方形底面部
１２  第一の底面部折り目
１３  一側壁部
１４  第二の底面部折り目
１５  他側壁部
１６  第一の幅方向折り目
１７  延設部
１８  第二の幅方向折り目
１９  係合片部
２０  スリット
２１  鋭角状突出部
２２  空隙部
２３  一方の斜片部
２４  他方の斜片部
２５  基端部
２６  対向縁部
２７  基端部
２８  斜片部
２９  他側壁部折曲部
３０  他側壁部折り目
１００、１０１  原紙
１１０  内層
１２０  中間層
１３０  外層
α    延設部の一方の斜片部と第一の幅方向折り目部との間の角度
β    延設部の他方の斜片部と第一の幅方向折り目部との間の角度
θ    他側壁部の対向縁部と第二の底面部折り目との間の角度
【図１】
0003221347.tif 000004
【図２】
0003221347.tif 000005
【図３】
0003221347.tif 000006
【図４】
0003221347.tif 000007
【図５】
0003221347.tif 000008
【手続補正書】
【提出日】平成31年3月13日(2019.3.13)
【手続補正１】
【補正対象書類名】実用新案登録請求の範囲
【補正対象項目名】全文
【補正方法】変更
【補正の内容】
【実用新案登録請求の範囲】
【請求項１】
方形の底面部と、前記底面部の一両側にそれぞれ第一の底面部折り目を介して延設され、所定の延設寸法を備える２枚の一側壁部と、前記方形底面部の前記一側壁部に隣接して配置され、互いに直交して配設されると共に第二の底面部折り目を介して延設され、前記一側壁部の突出寸法より大きな延設寸法を備える２枚の他側壁部と、を１枚の原紙から切り出して構成し、前記一側壁部と隣接する前記他側壁部とを互いに接合して形成した食品収容容器であって、
前記一側壁部の両端部には、第一の幅方向折り目を介して延設された平面略台形状の延設部と、前記延設部の先端部に第二の幅方向折り目を介して延設された係合片部とを有し、
前記他側壁部には、前記係合片部が挿入されるスリットと、前記一側壁部の延設寸法と同一の延設位置に形成された他側壁部折り目を介して延設された他側壁部折曲部とを有し、
前記係合片部は、一側壁部の幅方向外方へ突出する、緩やかに膨出する円弧状に形成された鋭角状突出部を有し、
前記他側壁部の対向縁部は、前記第一の底面部折り目の延長線よりも方形底面部内方へ傾斜する斜片部により形成され、
前記食品収納容器は、前記一側壁部と前記他側壁部を前記底面部から折曲して立ち上げ、前記係合辺部を前記スリットに挿入した状態で、前記係合片部を前記第二の幅方向折り目で前記延設部に沿う状態に折曲すると共に、前記他側壁部の他側壁部折曲部を前記他側折り目で前記底面部側に折曲して組み立てられたものであり、
前記原紙は、少なくとも無サイズ層、耐水層、撥油層とからなる多層漉き合わせ紙であって、内層に吸水・吸油性を有する無サイズ層、中間層に耐水剤を内填した古紙パルプ層からなる耐水層、外層に撥油剤を内填した撥油層を、それぞれ配置して構成したことを特徴とする食品収納容器。
【請求項２】
前記平面台形状の延設部の他側壁部との対向縁部を形成する一方の斜片部と前記第一の幅方向折り目との間の角度は、他方の斜片部と第一の幅方向折り目との間の角度よりも小さいと共に、前記平面台形状の延設部の前記他側壁部との対向縁部を形成する一方の斜片部の基端部は、前記他側壁部の対向縁部の基端部と離間して配設されていることを特徴とする請求項１記載の食品収納容器。
【請求項３】
前記平面台形状の延設部の他側壁部との対向縁部を形成する斜片部と前記第一の幅方向折り目との間の角度は７０度に形成され、前記延設部と他側壁部との間には、前記延設部の底辺部の長さ寸法の約半分の長さ寸法の空隙部が形成されていることを特徴とする請求項２記載の食品収納容器。
【請求項４】
前記他側壁部の対向縁部と前記方形底面部の第二の底面部折り目との間の角度は、８５度に形成されていることを特徴とする請求項２記載の食品収納容器。
【請求項５】
前記無サイズ層と耐水層の間に撥油層を設け、無サイズ層、撥油層、耐水層、撥油層が順次配置されていることを特徴とする請求項１に記載の食品収納容器。
【請求項６】
前記耐水剤としてロジン系樹脂を、前記撥油剤としてパーフルオロアルキルリン酸塩を、それぞれ用いたことを特徴とする請求項1に記載の食品収納容器。
【請求項７】
前記食品収納容器は、トレーとして形成されていると共に、前記食品は電子レンジで解凍して食する食品であることを特徴とする請求項１に記載の食品収納容器。